【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
ソーシャル・ネットワーク参加者に個人専用ソーシャル・ベース・データーを生成する方法であって、
ソーシャル・ネットワーク参加者が検索エンジンのホーム・ページを要求することに応答して、ソーシャル・ネットワーキング・データーから一義化した固有表現を抽出するステップであって、
前記ソーシャル・ネットワーキング参加者が前記ソーシャル・ネットワーキング・データーに相関付けられており、
前記ソーシャル・ネットワーキング・データーが、複数のユーザー生成されたポストを含み、前記複数のポストに含まれる１つのポストが、固有表現を含み、
前記一義化した固有表現の抽出が、前記複数のポストと前記ポストに含まれている固有表現とに基づき、
前記複数のポストが、前記ソーシャル・ネットワークの複数のメンバーによってアップロードされたものである、ステップと、
前記複数のポストと前記ソーシャル・ネットワーキング・データーから抽出された前記一義化した固有表現とに基づいて、前記検索エンジンのホーム・ページを前記ソーシャル・ネットワーク参加者用に個人化するステップであって、前記ソーシャル・ネットワーキング・データーから抽出された前記一義化した固有表現に対するハイパーリンクを前記検索エンジンのホーム・ページ上に含ませるステップを含み、前記ハイパーリンクの選択によって、前記検索エンジンのホーム・ページに対応する検索エンジンが前記一義化した固有表現について問い合わせを受ける、ステップと、
を含む、方法。
【請求項２】
請求項１記載の方法において、更に、
前記ソーシャル・ネットワーキング・データーから抽出された前記一義化した固有表現に基づいて、複数の可能なアノテーション文章を識別するステップと、
アノテーション文章パラメーターに基づいて、前記複数の可能なアノテーション文章に得点を付けるステップと、
前記得点に基づいて、前記複数の可能なアノテーション文章からアノテーション文章を選択するステップと、
を含み、
前記検索エンジンのホーム・ページを個人化するステップが、前記アノテーション文章に基づいて行われる、方法。
【請求項３】
請求項１記載の方法において、更に、
交流関心度メトリックに基づいて、複数のマルチメディア・ファイルに得点を付けるステップと、
前記得点に基づいて、前記複数のマルチメディア・ファイルからマルチメディア・ファイルを選択するステップと、
を含み、
前記検索エンジンのホーム・ページを個人化するステップが、前記マルチメディア・ファイルに基づいて行われる、方法。
【請求項４】
請求項１記載の方法において、更に、
前記ソーシャル・ネットワーキング・データー内においてアノテーション文章を識別するステップであって、前記アノテーション文章が、前記ソーシャル・ネットワーキング・データーのマルチメディア・ファイルと前記ソーシャル・ネットワーキング・データーから抽出された前記一義化した固有表現とに関連付けられている、ステップと、
ホットスポット定義を生成するステップであって、前記ホットスポット定義が、ソーシャル・ベース・アノテーションを含み、前記ソーシャル・ベース・アノテーションが、前記アノテーション文章を表示するように構成されている、ステップと、
を含み、
前記検索エンジンのホーム・ページを個人化するステップが、前記ホットスポット定義に基づいて行われる、方法。
【請求項５】
請求項４記載の方法において、前記アノテーション文章を識別する前記ステップが、
以下のアノテーション文章パラメーターの内少なくとも１つに基づいて、前記ソーシャル・データーにおける前記複数のポストからの可能なアノテーション文章を整列するステップを含む、方法。
前記複数のポストがアップロードされて以来経過した時間量、
前記複数のポストのうちの前記ポストと、前記ソーシャル・ネットワーキング・データーにおける前記複数のポストのうちの他のポストとの間における相違であって、前記ポストは前記アノテーション文章を含む、前記相違、
前記ソーシャル・ネットワーク参加者が以前に前記ポストを読んだことがあるか否か、
前記ソーシャル・ネットワーク参加者が前記ポストを読んで以来の時間量、
前記ソーシャル・ネットワーク参加者によって前記ポストに与えられた明示的なフィードバック、
前記ポストの前記抽出された一義化した固有表現に対する関連性、および
前記ポストのアップローダーのソーシャル・ネットワーク・アイデンティティ。
【請求項６】
請求項１記載の方法において、更に、
前記ソーシャル・ネットワーキング・データーからマルチメディア・ファイルの一部を選択するステップであって、前記マルチメディア・ファイルの前記一部が、前記ソーシャル・ネットワーキング・データーから抽出された前記一義化した固有表現と関連付けられている、ステップと、
前記抽出された一義化された固有表現と関連付けられている前記マルチメディア・ファイルの前記一部に基づいて、コラージュ定義を生成するステップであって、前記コラージュ定義が、前記マルチメディア・ファイルの前記一部を前記検索エンジンのホーム・ページ上にレンダリングするように構成されている、ステップと、
を含む、方法。
【請求項７】
請求項１記載の方法において、更に、
第１アノテーション文章を識別するステップであって、前記第１アノテーション文章が、マルチメディア・ファイルの部分と前記ソーシャル・ネットワーキング・データーから抽出された前記一義化した固有表現とに関連付けられている、ステップと、
外部データー・ソースから第２アノテーション文章を識別するステップであって、前記第２アノテーション文章が、前記抽出された一義化した固有表現と関連付けられている、ステップと、
前記検索エンジンのホーム・ページ上にホットスポットを生成するステップであって、前記ホットスポットが、第１アノテーションおよび第２アノテーションを備えており、前記第１アノテーションが前記第１アノテーション文章を備えており、前記第２アノテーションが前記第２アノテーション文章を備えている、ステップと、
を含む、方法。
【請求項８】
請求項１記載の方法において、
前記個人専用データーがコラージュ定義を備えており、
前記コラージュ定義が、ハイパーリンクとして動作するために前記検索エンジンのホーム・ページ上に画像の少なくとも一部をレンダリングするように構成されており、
前記画像が、前記ソーシャル・ネットワークのメンバーによって生成され、
前記一義化した固有表現の抽出が、前記画像に基づき、
前記情報要求が、前記画像の要求を含み、
前記ハイパーリンクが、前記ソーシャル・ネットワーク参加者を、前記一義化した固有表現に関連があるサイトに誘導するように構成されている、方法。
【請求項９】
請求項１記載の方法であって、更に、
前記ソーシャル・ネットワーキング参加者のソーシャル・ネットワーキング・アイデンティティに基づいて、ソーシャル・ネットワーキング・アプリケーションから前記ソーシャル・ネットワーキング・データーを受信するステップを備えており、
前記ソーシャル・ネットワーキング・データーが、第１マルチメディア・ファイルと、第２マルチメディア・ファイルと、第１複数のユーザー生成コンテンツと、第２複数のユーザー生成コンテンツとを備えており、
前記第１マルチメディア・ファイルが、前記ソーシャル・ネットワーク参加者の第１ソーシャル・ネットワークにおける第１ソーシャル・ネットワーキング・アイデンティティのユーザー生成コンテンツであり、
前記第２マルチメディア・ファイルが、前記ソーシャル・ネットワーク参加者の第２ソーシャル・ネットワークにおける第２ネットワーキング・アイデンティティのユーザー生成コンテンツであり、
前記第１複数のユーザー生成コンテンツが、前記第１マルチメディア・ファイルに応答して、前記第１ソーシャル・ネットワーキング・アイデンティティのソーシャル・ネットワークによってアップロードされ、
前記第２複数のユーザー生成コンテンツが、前記第２マルチメディア・ファイルに応答して、前記第２ソーシャル・ネットワーキング・アイデンティティの第２ソーシャル・ネットワークによってアップロードされ、
前記第１抽出エンティティが、前記第１複数のユーザー生成コンテンツに基づいて、第１の一義化された固有表現であり、
前記方法が、更に、
前記第２複数のユーザー生成コンテンツに基づいて第２の一義化された固有表現を抽出するステップであって、前記第２の一義化された固有表現が、前記第１の一義化された固有表現とは異なる、ステップと、
前記第１複数のユーザー生成コンテンツと、前記第１の一義化された固有表現と、第１アノテーション文章パラメーターとに基づいて、第１アノテーション文章を抽出するステップと、
前記第２複数のユーザー生成コンテンツと、前記第２の一義化された固有表現と、第２アノテーション文章パラメーターとに基づいて、第２アノテーション文章を抽出するステップと、
第１交流関心度メトリックに基づいて、前記ソーシャル・ネットワーキング・データーから前記第１マルチメディア・ファイルを選択するステップと、
第２交流関心度メトリックに基づいて、前記ソーシャル・ネットワーキング・データーから前記第２マルチメディア・ファイルを選択するステップと、
前記第１アノテーション文章と前記第１の一義化された固有表現とに基づいて、第１ホットスポットを生成するステップと、
前記第２アノテーション文章と前記第２の一義化された固有表現とに基づいて、第２ホットスポットを生成するステップと、
前記第１マルチメディア・ファイルと、前記第２マルチメディア・ファイルとに基づいて、コラージュ定義を生成するステップと、
を備えており、
前記第１ホットスポットが、ユーザーが前記レンダリングされたコラージュの第１エリアと対話処理するときに始動されるように構成されており、前記第１ホットスポットの始動が、前記第１アノテーション文章を前記ユーザーに提示するように構成されており、
前記第２ホットスポットが、前記ユーザーが前記レンダリングされたコラージュの第２エリアと対話処理するときに始動するように構成されており、前記第２ホットスポットの始動が、前記第２アノテーション文章を前記ユーザーに提示するように構成されており、
前記第１ホットスポットおよび前記第２ホットスポットの双方が、ユーザーの対話処理に同時に応答するように構成されている、方法。
【請求項１０】
請求項１から９の内１項に記載の方法を実行するためのコンピューター実行可能命令を有するコンピューター読み取り可能媒体。